(57)【要約】      （修正有）【課題】形状が単純で、且つ安価な防水用の屋上パネルであって、強風下であっても太陽電池モジュールの剥離が防止され、強雨下であっても排水が容易で、太陽電池の発電効率の確保が容易な、太陽電池モジュールの設置が可能な屋上パネル及び屋上構造を提供する。【解決手段】硬質樹脂からなる表皮２と、表皮２の裏面に設けられた発泡樹脂からなる断熱材１１とを有する四辺形の防水パネルであり、上面に斜面６ａを有する第一台座４ａ及び第一台座４ａより高さが低く上面に斜面６ｂを有する第二台座４ｂが設けられており、太陽電池モジュールの一の端縁部又はその近傍部を第一台座４ａの斜面６ａに載設することができ、該端縁部に対向する端縁部又はその近傍部を第二台座４ｂの斜面６ｂに載設する。【選択図】図２
2011094467.tif 000002
【特許請求の範囲】
【請求項１】
屋上に敷き詰められる四辺形の防水パネルであり、
硬質樹脂からなる表皮と、該表皮の裏面に設けられた発泡樹脂からなる断熱材とを有し、
該パネルの裏面には多数の突起が形成されており、
該表皮からなる四辺形の周囲に沿って、一定幅の平坦なフランジ部が、第一フランジ部、第二フランジ部、第三フランジ部、第四フランジ部として四辺形の夫々の辺に沿って、設けられている屋上パネルにおいて、
四辺形の一の辺に設けられている第一フランジ部の内側に沿って、上面に斜面を有する第一台座が１台以上設けられていると共に、該一のフランジ部に対向する辺に設けられている第二フランジ部の内側に沿って、上面に斜面を有する第二台座が設けられており、
前記第一台座の斜面がパネル内部に向かって低くなって、第一台座のパネル内部側の側面に達していると共に、前記第二台座の斜面がパネル内部に向かって高くなって、第二台座のパネル内部側の側面に達しており、
且つ第一台座のパネル内部側の側面の高さが、第二台座のパネル内部側の側面の高さより高くなっていると共に、太陽電池モジュールの一の端縁部又はその近傍部を第一台座の斜面上に載設することができ、該端縁部に対向する端縁部又はその近傍部を第二台座の斜面上に載設することができることを特徴とする屋上パネル。
【請求項２】
前記第一台座及び第二台座の上面全体が斜面として形成されていることを特徴とする請求項１に記載の屋上パネル。
【請求項３】
前記第一台座が縦方向断面Ｌ型の第一椅子型部材であって、前記斜面が座面として形成されており、前記第二台座が、縦方向断面Ｌ型の第二椅子型部材であって、前記斜面が座面として形成されており、且つ第一椅子型部材及び第二椅子型部材の座面と背もたれの角度が９０°であることを特徴とする請求項１に記載の屋上パネル。
【請求項４】
前記斜面の勾配が５〜５０°であることを特徴とする請求項１〜３のいずれかに記載の屋上パネル。
【請求項５】
２台以上の前記第一台座が間隔をあけて、前記第一フランジ部の内側に沿って設けられていると共に、第一フランジ部に対向する第二フランジ部の内側に沿って、２台以上の前記第二台座が間隔をあけて設けられていることを特徴とする請求項１〜４のいずれかに記載の屋上パネル。
【請求項６】
第一台座及び／又は第二台座が表皮に取付け可能な別体として形成されており、第一台座又は第二台座のどちらかが別体として形成されている場合には、残りの台座が屋上パネルの表皮と一体に成形されていることを特徴とする請求項１〜６のいずれかに記載の屋上パネル。
【請求項７】
フランジ部で囲まれるパネルの表皮表面が斜面を形成していることを特徴とする請求項１〜６のいずれかに記載の屋上パネル。
【請求項８】
前記フランジ部で囲まれるパネル表皮表面の斜面の勾配が１〜１０°であることを特徴とする請求項７に記載の屋上パネル。
【請求項９】
前記第一フランジ部及び第二フランジ部に対して直交する、少なくとも一のフランジ部の内側に沿って、土手部が設けられていることを特徴とする請求項１〜８のいずれかに記載の屋上パネル。
【請求項１０】
請求項１〜９に記載の２以上の屋上パネルが、前記第一フランジ部及び第二フランジ部に対して平行方向に、第三フランジ部と第四フランジ部とが当接して及び／又は間隔を開けて連設されており、
複数の太陽電池モジュールが互いの側面同士を当接させて、該側面に直行する方向に連設されて複合体を形成し、該複合体の長手方向の両端縁部又はその近傍部の各々が第一台座の斜面上と第二台座の各々の斜面上に載設されていることを特徴とする屋上パネル。
【請求項１１】
前記太陽電池モジュールからなる複合体において、
その一の長手方向端縁部が長尺の断面Ｌ字型アングルに各々の直角部同士が密着するように下方からあてがわれると共に、該アングルのＬ字の垂直部が太陽電池モジュールにビスで固定され、
該一の長手方向端縁部に対向する長手方向端縁部が長尺の断面コの字型アングルに嵌入されると共に、該アングルのコの字の垂直部が太陽電池モジュールにビスで固定され、
複合体の四箇所の角部が、断面コの字型アングルに、複合体の長手方向が該アングルのコの字の水平方向を向くように、嵌入されると共に、該アングルのコの字の垂直部が太陽電池モジュールにビスで固定されていることを特徴とする請求項１０に記載の屋上パネル。
【請求項１２】
四辺形の防水パネルが屋上に敷き詰められていると共に、少なくとも一の防水パネルが請求項１〜１１に記載の屋上パネルであり、
該防水パネルが、その端面同士を当接させて敷きつめられており、
少なくとも一のアンカボルト挿通用の孔が形成された長尺のＴ字型固定部材が、其の下方に伸びる垂直部が防水パネル同士が当接された部分に差込まれて、フランジ部の長手方向に沿って載設されており、
該長尺のＴ字型固定部材が、四枚の防水パネルの角部を跨いで載設されている場合には、其のアンカボルト挿通用の孔が、四枚の防水パネルの角部が交わる中心の真上に位置しており、該長尺のＴ字型固定部材が、四枚の防水パネルの角部を跨ぐことなく載設されている場合には、アンカボルト挿通用の孔がフランジ部同士が当接された面の上端に位置しており、
中心にアンカーボルト挿通用の孔が形成された押さえ板が、押さえ板の孔の中心とＴ字型固定部材の孔の中心が一致するように、長尺のＴ字型固定部材上に載設され、アンカボルトが前記二つの孔を挿通してコンクリートに打ち込まれることにより、該アンカボルトの頭で防水パネルが固定されていることを特徴とする建物の屋上構造。
【請求項１３】
前記長尺のＴ字型固定部材に代えて、長尺の平板固定部材が用いられ、該平板固定固定部材が、フランジ部の長手方向に沿って載設されていることを特徴とする請求項１２に記載の建物の屋上構造。
【請求項１４】
四辺形の防水パネルが屋上に敷き詰められていると共に、少なくとも一の防水パネルが請求項１〜１１に記載の屋上パネルであり、
防水パネルの端面間に空間を設けて、端面同士が平行になるように防水パネルが敷きつめられると共に、四枚の防水パネルの角部により十字形の空間が形成された空間部の上に、十字型固定部材が載設されており、十字型固定部材の十字の交点にはアンカーボルト挿通用の孔が設けられており、中心にアンカーボルト挿通用の孔が形成された押さえ板が、押さえ板の孔の中心と十字型固定部材の孔の中心が一致するように、十字型固定部材上に載設され、アンカーボルトが前記二つの孔を挿通してコンクリートに打ち込まれることにより、該アンカボルトの頭で防水パネルが固定されていることを特徴とする建物の屋上構造。
【発明の詳細な説明】
【技術分野】
【０００１】
本発明は、屋上パネル及び該屋上パネルを用いた建物の屋上構造に関する。
【背景技術】
【０００２】
近年、環境保護及び太陽エネルギーの有効利用の観点から、建物の屋上に太陽電池モジュールを設置することが行なわれている。しかし、建物の屋上、特に高層ビルの屋上では、通常時においても相当に強い風が吹き、さらに台風の際には激しい風が吹きつける。このような状況下でも、敷きつめられた太陽電池モジュールが剥がれることを防止しなければならない。また、雨が降った場合に、太陽電池モジュールが水浸しにならないような排水が要求される。
【０００３】
一方、防水目的の屋上パネルがビルの屋上に敷き詰められる工法が行なわれている。該屋上パネルも、強い風が吹いても剥がれることを防止しなければならない。更に、屋上パネル自体が安価であり、かつ、施工が容易であることも要求される。そのような屋上パネルとして、特許文献１に開示されたものがある。
【０００４】
しかし、特許文献１の屋上パネルは、形状が単純で、定形化されたパネルで施工が容易ではあるが、前記太陽電池モジュールを設置できるものではない。
【先行技術文献】
【特許文献】
【０００５】
【特許文献１】特許第３３８１０６３号公報
【発明の概要】
【発明が解決しようとする課題】
【０００６】
本発明は、形状が単純で定形化されており、大量生産が可能で、太陽電池モジュールの設置が可能で、且つ安価な防水用の屋上パネルであって、強風下であっても太陽電池モジュールの剥離が防止され、、強雨下であっても排水が容易で、太陽電池の発電効率の確保が容易な、防水用の屋上パネル及び該屋上パネルを用いた建物の屋上構造を提供することを、その課題とするものである。
【課題を解決するための手段】
【０００７】
本発明によれば、以下に示す屋上パネル、屋上構造が提供される。
［１］
屋上に敷き詰められる四辺形の防水パネルであり、
硬質樹脂からなる表皮と、該表皮の裏面に設けられた発泡樹脂からなる断熱材とを有し、
該パネルの裏面には多数の突起が形成されており、
該表皮からなる四辺形の周囲に沿って、一定幅の平坦なフランジ部が、第一フランジ部、第二フランジ部、第三フランジ部、第四フランジ部として四辺形の夫々の辺に沿って、設けられている屋上パネルにおいて、
四辺形の一の辺に設けられている第一フランジ部の内側に沿って、上面に斜面を有する第一台座が１台以上設けられていると共に、該一のフランジ部に対向する辺に設けられている第二フランジ部の内側に沿って、上面に斜面を有する第二台座が設けられており、
前記第一台座の斜面がパネル内部に向かって低くなって、第一台座のパネル内部側の側面に達していると共に、前記第二台座の斜面がパネル内部に向かって高くなって、第二台座のパネル内部側の側面に達しており、
且つ第一台座のパネル内部側の側面の高さが、第二台座のパネル内部側の側面の高さより高くなっていると共に、太陽電池モジュールの一の端縁部又はその近傍部を第一台座の斜面上に載設することができ、該端縁部に対向する端縁部又はその近傍部を第二台座の斜面上に載設可能することができることを特徴とする屋上パネル。
［２］
前記第一台座及び第二台座の上面全体が斜面として形成されていることを特徴とする前記１に記載の屋上パネル。
［３］
前記第一台座が縦方向断面Ｌ型の第一椅子型部材であって、前記斜面が座面として形成されており、前記第二台座が、縦方向断面Ｌ型の第二椅子型部材であって、前記斜面が座面として形成されており、且つ第一椅子型部材及び第二椅子型部材の座面と背もたれの角度が９０°であることを特徴とする前記１に記載の屋上パネル。
［４］
前記斜面の勾配が５〜５０°であることを特徴とする前記１〜３のいずれかに記載の屋上パネル。
［５］
２台以上の前記第一台座が間隔をあけて、前記第一フランジ部の内側に沿って設けられていると共に、第一フランジ部に対向する第二フランジ部の内側に沿って、２台以上の前記第二台座が間隔をあけて設けられていることを特徴とする前記１〜４のいずれかに記載の屋上パネル。
［６］
第一台座及び／又は第二台座が表皮に取付け可能な別体として形成されており、第一台座又は第二台座のどちらかが別体として形成されている場合には、残りの台座が屋上パネルの表皮と一体に成形されていることを特徴とする前記１〜６のいずれかに記載の屋上パネル。
［７］
フランジ部で囲まれるパネルの表皮表面が斜面を形成していることを特徴とする前記１〜６のいずれかに記載の屋上パネル。
［８］
前記フランジ部で囲まれるパネル表皮表面の斜面の勾配が１〜１０°であることを特徴とする前記７に記載の屋上パネル。
［９］
前記第一フランジ部及び第二フランジ部に対して直交する、少なくとも一のフランジ部の内側に沿って、土手部が設けられていることを特徴とする前記１〜８のいずれかに記載の屋上パネル。
［１０］
前記１〜９に記載の２以上の屋上パネルが、前記第一フランジ部及び第二フランジ部に対して平行方向に、第三フランジ部と第四フランジ部とが当接して及び／又は間隔を開けて連設されており、
複数の太陽電池モジュールが互いの側面同士を当接させて、該側面に直行する方向に連設されて複合体を形成し、該複合体の長手方向の両端縁部又はその近傍部の各々が第一台座の斜面上と第二台座の各々の斜面上に載設されていることを特徴とする屋上パネル。
［１１］
前記太陽電池モジュールからなる複合体において、
その一の長手方向端縁部が長尺の断面Ｌ字型アングルに各々の直角部同士が密着するように下方からあてがわれると共に、該アングルのＬ字の垂直部が太陽電池モジュールにビスで固定され、
該一の長手方向端縁部に対向する長手方向端縁部が長尺の断面コの字型アングルに嵌入されると共に、該アングルのコの字の垂直部が太陽電池モジュールにビスで固定され、
複合体の四箇所の角部が、断面コの字型アングルに、複合体の長手方向が該アングルのコの字の水平方向を向くように、嵌入されると共に、該コの字の垂直部が太陽電池モジュールにビスで固定されていることを特徴とする前記１０に記載の屋上パネル。
［１２］
四辺形の防水パネルが屋上に敷き詰められていると共に、少なくとも一の防水パネルが前記１〜１１に記載の屋上パネルであり、
該防水パネルが、その端面同士を当接させて敷きつめられており、
少なくとも一のアンカボルト挿通用の孔が形成された長尺のＴ字型固定部材が、其の下方に伸びる垂直部が防水パネル同士が当接された部分に差込まれて、フランジ部の長手方向に沿って載設されており、
該長尺のＴ字型固定部材が、四枚の防水パネルの角部を跨いで載設されている場合には、其のアンカボルト挿通用の孔が、四枚の防水パネルの角部が交わる中心の真上に位置しており、該長尺のＴ字型固定部材が、四枚の防水パネルの角部を跨ぐことなく載設されている場合には、アンカボルト挿通用の孔がフランジ部同士が当接された面の上端に位置しており、
中心にアンカーボルト挿通用の孔が形成された押さえ板が、押さえ板の孔の中心とＴ字型固定部材の孔の中心が一致するように、長尺のＴ字型固定部材上に載設され、アンカボルトが前記二つの孔を挿通してコンクリートに打ち込まれることにより、該アンカボルトの頭で防水パネルが固定されていることを特徴とする建物の屋上構造。
［１３］  
前記長尺のＴ字型固定部材に代えて、長尺の平板固定部材が用いられ、該平板固定固定部材が、フランジ部の長手方向に沿って載設されていることを特徴とする前記１２に記載の建物の屋上構造。
［１４］
四辺形の防水パネルが屋上に敷き詰められていると共に、少なくとも一の防水パネルが前記１〜１１に記載の屋上パネルであり、
防水パネルの端面間に空間を設けて、端面同士が平行になるように防水パネルが敷きつめられると共に、四枚の防水パネルの角部により十字形の空間が形成された空間部の上に、十字型固定部材が載設されており、十字型固定部材の十字の交点にはアンカーボルト挿通用の孔が設けられており、中心にアンカーボルト挿通用の孔が形成された押さえ板が、押さえ板の孔の中心と十字型固定部材の孔の中心が一致するように、十字型固定部材上に載設され、アンカーボルトが前記二つの孔を挿通してコンクリートに打ち込まれることにより、該アンカボルトの頭で防水パネルが固定されていることを特徴とする建物の屋上構造。
【発明の効果】
【０００８】
本発明の屋上パネルは其の周囲を囲むフランジ部を有し、該フランジ部の内側に沿って、特定の一対以上の台座が対向して設けられているので、台座の斜面上に太陽電池モジュールを設置することができる。また、本発明の複数の屋上パネルを用いると、屋上パネルを特定方向に連設して、複数対の台座を二列に設けることにより、台座の斜面上に複数の太陽電池モジュールを設置することができる。このように設置された太陽電池モジュールは、強い風が吹いても、風が太陽電池モジュールの下を吹き抜けることにより、太陽電池モジュールには強い圧力がかからないので、太陽電池モジュールの剥離や損傷が防止される。
更に、前記台座の上面の少なくとも一部は斜面として形成されており、その斜面上に太陽電池の端縁部又はその近傍部が載設されることにより、太陽電池モジュールの上面が斜面を形成するので、太陽電池モジュールの発電効率が確保されると共に降り注いだ雨は効率よく排水される。
また、フランジ部で囲まれるパネルの表皮表面が斜面として形成されることにより、太陽電池モジュールから流れ落ちてくる雨水が効率よく排水され、屋上パネルが水浸しになることが防止される。
更に、本発明においては、太陽電池モジュールが連設された複合体として、該複合体の長手方向端縁部又はその近傍部の両方が夫々前記台座の斜面上に載設されることにより、屋上パネルの面積の有効利用に優れた構造が構成される。
更にまた、該複合体が固定用のアングルを用いた特定構造のものであることにより、施工性に優れ、丈夫な太陽電池モジュールが設置された屋上パネルとなる。
【図面の簡単な説明】
【０００９】
【図１】図１は、本発明屋上パネルの一例を示す平面図である。
【図２】図２は、図１のＡ１−Ａ１線に沿う断面図である。
【図３】図３は、図１に示す屋上パネルの裏面図である。
【図４】図４は、本発明屋上パネルの他の例を示す平面図である。
【図５】図５は、図４のＡ２−Ａ２線に沿う断面図である。
【図６】図６は、図４に示す屋上パネルの裏面図である。
【図７】図７は、太陽電池モジュールが設置された屋上パネルの一例を示す平面図である。
【図８】図８は、図７のＢ１−Ｂ１線に沿う断面図である。
【図９】図９は、太陽電池モジュールが設置された他の例を示す屋上パネルの平面図である。
【図１０】図１０は、図９のＢ２−Ｂ２線に沿う断面図である。
【図１１】図１１は、太陽電池モジュールからなる複合体の施工過程を示す斜視図である。
【図１２】図１２は、パネルの端面同士を当接させて構築された、本発明屋上構造の一例を示す斜視図である。
【図１３】図１３は、パネルの端面同士を当接させて構築された、本発明屋上構造の他の例を示す斜視図である。
【図１４】図１４（ａ）はＴ字型固定部材の斜視図、図１４（ｂ）は平板固定部材の斜視図、図１４（ｃ）は押さえ板及びＴ字型固定部材の孔にアンカボルトの足が挿通された状態を示す斜視図である。
【図１５】図１５は、Ｔ字型固定部材が３×４枚のパネルのフランジ部に沿って載設された例を示す平面図である。
【図１６】図１６は、Ｔ字型固定部材が用いられた屋上構造の一例を示す破断斜視図である。
【図１７】図１７（ａ）は十字型固定部材の斜視図、図１７（ｂ）は押さえ板及び十字型固定部材の孔にアンカボルトの足が挿通された状態を示す斜視図である。
【図１８】図１８は、十字型固定部材が用いられた屋上構造の例を示す断面図である。
【発明を実施するための形態】
【００１０】
以下、本発明の屋上パネルについて、図面を用いて詳細に説明する。
本発明の屋上パネルは、建物の屋上、特にビルの屋上に敷き詰めることにより、建物に対する防水効果、断熱効果を発揮し、更に太陽電池モジュールの設置を容易に行なうことができるものである。
本発明の屋上パネルの一例を図１〜３に、他の例を図４〜６に示す。
図１は本発明屋上パネルの一例を示す平面図、図２は図１のＡ１−Ａ１線に沿う断面図、図３は裏面図である。また、図４は本発明屋上パネルの他の例を示す平面図、図５は図４のＡ２−Ａ２線に沿う断面図、図６は裏面図である。
図１〜６において、１は本発明の屋上パネルを、２は表皮を、３はフランジ部（３ａ：第一フランジ部、３ｂ：第二フランジ部、３ｃ：第三フランジ部、３ｄ：第四フランジ部）を、４は台座（４ａ：第一台座、４ｂ：第二台座）を、５は台座が椅子型部材の場合の背もたれを、６は台座の斜面（６ａ：第一台座の斜面、６ｂ：第二台座の斜面）を、７は隣り合う台座間の空間（７ａ：第一台座間の空間、７ｂ：第二台座間の空間）を、８はフランジ部３に囲まれた斜面を、９ａは第一台座のパネル内部側の側面を、９ｂは第二台座のパネル内部側の側面を、１１は断熱材を、１２ａは突起を、１２ｂは突起により形成される空間を、１３は角段部を、１４はウレタンフォームを、１５はピンをそれぞれ示す。
なお、図１には１対の台座４ａ、４ｂが設けられた例が記載され、図４には、３対の台座４ａ、４ｂが設けられた例が記載されているが、本発明で用いられる台座の数に制限はなく、また、第一台座の数と第二台座の数が異なっていてもよい。
【００１１】
本発明の屋上パネルは平面視四辺形であり、施工性に優れることから図１、図４に示すような長方形が好ましく、正方形にすることもできる。
【００１２】
該屋上パネルにおいては、表皮２の四辺形の周囲に沿って平らなフランジ部３が設けられている。即ち、四辺の夫々に沿って、平らなフランジ部３ａ、３ｂ、３ｃ、３ｄが設けられ、これらのフランジ部３が表皮２の角部で繋がっている。フランジ部３ａ、３ｂ、３ｃ、３ｄは一定幅であることが好ましい。更に表皮の角部には、角段部１３を設けることができる。角段部１３が設けられていると、図１２、図１３、図１５等を用いて後述するように、多数の本発明屋上パネル１や他の屋上パネル３１を屋上に敷きつめて、屋上パネルや他の屋上パネル３１の角を押さえ板３５で押さえて固定する際に、押さえ板３５の上面とフランジ部３の上面の高さを一致させやすくなる。これにより、後述するように防水シート材３８を貼着する場合、シート材３８の表面が平坦面になり、シート材３８の浮き上がりがなくなって密着性が良くなり、経時的な剥離が起きにくくなる。  
【００１３】
本発明においては、四辺形の一の辺に設けられている第一フランジ部３ａの内側に沿って、上面に斜面を有する第一台座４ａが１台以上設けられていると共に、該一のフランジ部に対向する辺に設けられている第二フランジ部３ｂの内側に沿って、上面に斜面を有する第二台座４ｂが設けられている。なお、一の辺に沿って複数の台座が設けられる場合には、隣り合う台座は、排水可能な距離を開けて配置される。
【００１４】
前記台座４はその上面に斜面６を有するものであって、第一台座４ａの斜面６ａはパネル内部に向かって低くなって、第一台座のパネル内部側の側面９ａに達している。また、第二台座４ｂの斜面６ｂはパネル内部に向かって高くなって、第二台座のパネル内部側の側面９ｂに達している。
更に、第一台座４ａのパネル内部側の側面９ａの高さは、第二台座４ｂのパネル内部側の側面９ｂの高さより高くなっていると共に、太陽電池モジュールの一の端縁部又はその近傍部を第一台座の斜面上に載設することができ、該端縁部に対向する太陽電池モジュールの端縁部又はその近傍部を第二台座の斜面上に載設することができる。
従って、屋上パネルが平らなビルの屋上に設置されていても、斜面６ａと斜面６ｂの夫々の上に太陽電池モジュールの対向する端縁部又はその近傍部の夫々を載設することにより、第一台座の斜面６ａと第二台座の斜面６ｂとを用いて設置された太陽電池モジュール表面は斜面を形成することになるので、設置された太陽電池モジュールの発電効率が確保され、降り注いだ雨は太陽電池モジュール上に溜まることなく、効率的に排水される。
尚、本明細書において、「端縁部又はその近傍部」とあるのは、後述するように、台座が椅子型の場合には、太陽電池モジュールの端縁部が斜面上に必ず載設されるのに対し、その上面全体が斜面として形成されている台座の場合には、太陽電池モジュールの端縁部が斜面上に載設されることもでき、また端縁部の近傍部が斜面上に載設されて、太陽電池モジュールの端縁部が斜面を越えて設置されることがあることを表している。
【００１５】
本発明における台座４には、二つの態様がある。その一の態様は、図１、図２に示すような、上面の全てが斜面として形成されている台座である。その水平方向断面の形状に制限はないが、通常正方形か、長方形の矩形であり、強度が向上することから、下方に向かって矩形の面積が増大していることが好ましい。但し、円形や多角形にすることもできる。
この態様の台座には、台座をはみ出してしまう大きさの太陽電池モジュールを設置することができるという利点がある。
【００１６】
また、他の態様の台座は、図３、図４に示すような、縦方向断面Ｌ型の椅子型部材であって、其の座面が斜面６として形成されている台座である。この態様の台座の場合には、後述する太陽電池モジュールの設置が容易であることから、台座の座面と背もたれとの角度は９０°が好ましい。
【００１７】
台座４は、図１に示すようにパネル１上に一対設けられていればよいが、その数には制限がなく、例えば図４に示すように３対設けることもできる。
台座を複数対設ける場合には、図４に示すように、一の第一フランジ部３ａの内側に沿って、２台以上の第一台座４ａが間隔をあけて（即ち、空間７ａを形成して）、斜面６ａの先端をパネル内部に向けて設けられる。更に、第一フランジ部３ａに対向する第二フランジ部３ｂの内側に沿って、２台以上の第二台座４ｂが間隔をあけて（即ち、空間７ｂを形成して）、斜面６ｂの先端をパネル内部に向けて設けられる。台座が、図４に示すような椅子型部材の場合には、第一台座４ａ及び第二台座４ｂの各々が背もたれ５を備えているので、強風が吹いても風の強さを和らげて、台座の斜面６に取付けられた太陽電池モジュールの剥離や損傷を防ぐことができる。
【００１８】
第一台座４ａと第二台座４ｂは、幅方向の寸法が等しいと共に、フランジ部３に沿って対応する位置に設けられていることが、作業性向上のために好ましい。特に、パネル上に一対のみの台座を設ける場合には、屋上パネルの図示上幅方向中心線と台座の中心線を一致させることが好ましい。但し、幅方向の寸法が異なっていたり、フランジ部３の対応しない位置に設けられていても構わない。      
【００１９】
また、第一台座の斜面６ａの勾配と第二台座の斜面６ｂの勾配が等しく形成され、第一台座の斜面６ａと第二台座の斜面６ｂとで定まる平面が、全体として一の平面（斜面）を形成するように構成されていることが、太陽電池モジュールを斜面６上に安定して載設できるので好ましい。
【００２０】
第一台座及び第二台座の斜面６の勾配は５〜５０°が好ましい。平らなビルの屋上などに設置された状態で、太陽光発電をより効果的に行なうことができる観点から、その下限は、より好ましくは１０°、より好ましくは１５°、更に好ましくは２０°、特に好ましくは、２５°である。また、その上限は、施工性を考慮して、より好ましくは４５°、更に好ましくは４０°、特に好ましくは３５°である。
【００２１】
なお、本発明における、其の上面に斜面を有する台座は、その輪郭部分の全体又は一部を金属棒やアングルを用いて作製し、斜面６は存在しないけれども、太陽電池モジュールを斜面６に載設するのと同様に太陽電池モジュールを傾斜させて固定することができる機能を有するものとすることができる。例えば、台座の上面に平らな面が形成され、その上に金属棒やアングル等を用いて、台座の斜面部の輪郭が形成されたものとすることができる。
【００２２】
本発明の屋上パネルの表皮２においては、フランジ部３で囲まれる表皮の表面全体が斜面８を形成していることが好ましい。斜面８が形成されていると、該屋上パネルが平らなビルの屋上等に設置されていても、降り注いできた雨が斜面８に沿って流れるので、効率の良い排水が行なわれる。この場合、隣り合う台座４同士で形成される空間も排水を行なうことができる。
【００２３】
前記斜面８は、図１、図２に示すように、対向する台座の一方から他方に向かって下る斜面として形成されていることが、製造が容易なので好ましく、図２に示すように、台座の斜面の傾斜方向と、表皮の斜面８の傾斜方向が一致していることが、排水効率が良いのでより好ましい。また、図４、図５に示すように、前記斜面８が、屋上パネルの中心から、４辺のフランジ部３ａ、３ｂ、３ｃ、３ｄの各々に向かって下る四角錐状の斜面であることも、効率よくバランスの良い排水ができるので好ましい。また、フランジ内部を複数の４辺形に分割し、その各々を四角錐状の斜面として形成することができる（図示せず）。また、第一台座４ａと第二台座４ｂとを通るパネルの中心線から第一フランジ部３ａ、第二フランジ部３ｂの両方に向かって下る斜面であることもできる（図示せず）。  
【００２４】
効率よく排水を行なうためには、フランジ部で囲まれるパネルの表皮の斜面８の勾配は１〜１０°が好ましく、より好ましくは１．５〜８°、更に好ましくは２〜５°である。
【００２５】
本発明の屋上パネル１を構成する表皮２は硬質樹脂、好ましくは繊維強化硬質プラスチック（ＦＲＰ）からなるものである。
【００２６】
本発明においては、前記第一台座４ａと第二台座４ｂの両方、又はどちらか一方が表皮（即ち、屋上パネル）に取付け可能な別体として形成され、どちらかの台座のみが別体として形成されている場合には、残りの台座４が表皮２と一体に形成されていることが好ましい。台座４が別体として取付け可能であると、異なる寸法の太陽電池モジュールの取付けを容易に行なうことができる。また、引用文献１に記載の屋上パネル等が既に施工されている屋上構造を利用して、その屋上パネル上に第一台座４ａと第二台座４ｂの両方を取り付けることにより、本発明の屋上パネルを用いた屋上構造とすることができる。
【００２７】
別体としての台座４は、硬質樹脂、好ましくは繊維強化硬質プラスチック（ＦＲＰ）からなるものである。
なお、図２、図５に示す屋上パネルの場合、第一台座４ａが別体として形成され、第二台座４ｂが表皮と一体に形成されている。
【００２８】
本発明の屋上パネルにおいては、前記表皮２の裏面には発泡樹脂からなる断熱材１１が設けられている。従って、屋上パネル１を建物の屋上に敷き詰めることにより、防水性と共に断熱性が確保される。断熱材１１の上面の形状は、前記表皮２の裏面の形状に対応させて表皮２の凹部を断熱材１１の凸部で塞ぐことにより、表皮２と断熱材１１の間に空間の形成による結露が防止される。
【００２９】
なお、前記台座４ａ、４ｂの両方、又はどちらかが表皮２と一体に成形されている場合、台座の内部の空間は、現場発泡させたウレタンフォームで満たすことにより、結露を防止することができる。また、断熱材１１の上面を表皮２の形状に合わせて加工することが難しい場合には、断熱材１１の上面と表皮２の形状が一致しないことにより形成された空間をウレタンフォームで満たすことができる。
なお、図２、図５に示す屋上パネルの場合、第二台座４ｂが表皮と一体に形成されているので、第二台座４ｂの背もたれ５の内部がウレタンフォーム１４で満たされている。
【００３０】
屋上パネルの裏面には、図２、図３、図５、図６等に示すように、多数の突起１２ａが形成されている。突起１２ａを設けて、屋上パネルと屋上の床面との間に多くの空間１２ｂを形成して空気通路として機能させることにより、屋上の床面のコンクリートから蒸発する水分を含んだ空気を逃がし、水蒸気圧によるパネルの膨らみを防止することができる。この場合、断熱材の下に突起を有する裏面パネルを設けることにより、裏面パネルに突起１２ａを形成することもできるが、前記断熱材１１に直接突起１２ａを形成することが、作業性を向上させ、安価な屋上パネルにすることができるので、好ましい。
なお、表皮２と断熱材１１とを固定するには、図１、図２、図３、図４、図５、図６に示すように、コの字型の固定ピン１５で両者を挟めばよい。
【００３１】
なお、図３、図６においては、全ての突起１２ａが同一形状であるが、一部の突起の断面積を大きくして、強度を高めることもできる。
【００３２】
本発明の屋上パネルは、太陽電池モジュールを設置することにより、ビルの屋上等で発電を行なうことができる。図７、図８に上面全体が斜面として形成された台座が一対設けられた屋上パネルを当接させて第一フランジ方向に並列し、其の上に４台の太陽電池モジュールが複合体として設置された例を示す。また、図９、図１０に３対の台座が設けられた屋上パネル１枚の上に４台の太陽電池モジュールが複合体として設置された例を示す。
なお、図７は、太陽電池モジュールが複合体として設置された屋上パネルの一例を示す平面図であり、図８は図７のＢ１−Ｂ１線に沿う断面図である。また、図９は、太陽電池モジュールが複合体として設置された屋上パネルの他の例を示す平面図であり、図１０は図９のＢ２−Ｂ２線に沿う断面図である。更に、図１１に、太陽電池モジュールからなる複合体を製造する過程の例を斜視図として示す。
【００３３】
図７〜１１において、２１（２１ａ、２１ｂ、２１ｃ、２１ｄ）は太陽電池モジュールを、２２は太陽電池モジュールが連設された複合体を、２３ａは複合体の一の長手方向端縁部を、２３ｂは長手方向端縁部２３ａに対向する長手方向端縁部を、２３ｃ、２３ｄは複合体の短手方向端縁部を、２４は複合体の４箇所の角部の各々を、２５は長尺のＬ字型アングルを、２５ａは其の垂直部を、２６は長尺のコの字型アングルを、２６ａは其の垂直部を、２７は複合体の角部に用いられるコの字型アングルを、２７ａは其の垂直部を、２８はビスをそれぞれ示す。
【００３４】
本発明において、太陽電池モジュールが屋上パネル１へ取り付けられた構造として、図７、図９に示すように、複数の太陽電池モジュール２１が互いの長手方向端縁部が当接されて、短手方向に連設された複合体２２を形成し、複合体２２の長手方向（個々の太陽電池モジュール２１の短手方向）の両端縁部２３ａ、２３ｂ又はその近傍部の各々が第一台座の斜面６ａと第二台座の斜面６ｂの各々の上に載設されている構造が好ましい。なお、本発明においては、複数の太陽電池モジュールの互いの短手方向端縁部を当接させて、長手方向に連設させて複合体を形成することもできる。
【００３５】
前記のように、太陽電池モジュールが複合体として屋上パネル上に取り付けられていると、屋上パネル上の面積を有効に使うことができる。また、複合体の長手方向に向かって吹く風は、複合体の上下の面に沿って吹き抜けるので、複合体の短手方向（太陽電池モジュールの長手方向）の小さな面積の端縁部は面積が狭いことから、太陽電池モジュールに大きな損傷を与えることが防止される。また、台座が椅子型の場合には、複合体の短手方向に吹く風は、台座の背もたれ５によって遮断される。
なお、複合体の短手方向に向かって吹く風を有効に遮断するために、フランジ部３ｃ、３ｄの内側の少なくともどちらかに沿って土手部を設けることにより、複合体の長手方向に吹く風を遮断することができる（図示せず。）。
【００３６】
屋上パネルが平らなビルの屋上等に設置されていても、太陽電池モジュールからなる複合体２２の表面は、斜面を形成するので効率の良い発電を行なうことができる。また、太陽電池モジュールに降り注いだ雨は、複合体の表面が傾斜しているので、該表面を流れ落ちて、台座間の空間、フランジ部３ａ、３ｂ、３ｃ、３ｄを通って容易に排水される。
【００３７】
本発明においては、前記屋上パネルに太陽電池モジュールが載設される。その場合、複数の太陽電池モジュールが特定のアングルで固定された複合体として、屋上パネル上に載設することが好ましい。次に、該複合体について説明する。
該複合体２２は、図７、図８、図９、図１０に示すように、太陽電池モジュール２１ａ、２１ｂ、２１ｃ、２１ｄが、その長手方向端縁部同士を当接させて連設された複合体が長尺の断面Ｌ字型アングル２５と長尺の断面コの字型アングル２６と角部用の断面コの字型アングル２７とビス２８で固定されたものである。即ち、太陽電池モジュール２１ａ、２１ｂ、２１ｃ、２１ｄからなる複合体の一方の長手方向端縁部２３の直角部に長尺の断面Ｌ字型アングル２５の直角部が密着するように下からあてがわれて、Ｌ字の垂直部２５ａが太陽電池モジュール２１にビス２８で固定されている。更に、前記複合体の他方の長手方向端縁部２３ｂが長尺の断面コの字型アングル２６に嵌入されて、コの字の垂直部２６ａが太陽電池モジュール２１にビス２８で固定されている。更に、該複合体の四箇所の角部２４の各々が、角部用の断面コの字型アングル２７に、複合体の長手方向がコの字の水平方向を向くように嵌入され、コの字の垂直部２７ａが太陽電池モジュール２１にビス２８で固定されている。
【００３８】
前記の複合体２２は、例えば、屋上パネル１を用いて次のように施工することにより、容易に作製することができる。
まず、複数の第一台座の３つの斜面６ａ上に、例えば、ＦＲＰ用接着剤を介して断面Ｌ字型アングル２５を載置して固定し、複数の第二台座の３つの斜面６ｂ上に断面コの字型アングル２６を接着剤を介して載置して固定する。このとき、アングル２５、２６の長さは、複合体の長手方向長さより短くして、短尺の断面コの字型アングル２７を複合体の四箇所の角部２４に嵌め込めるようにする。
【００３９】
次に、太陽電池モジュール２１ａの一方の短手方向端縁部を、図１１に示すように、前記固定された断面コの字型アングル２６の図面視左側のコの字型に嵌入させ、他方の短手方向端縁部を、前記固定された断面Ｌ字型アングル２５のＬ字型に上から嵌め込む。このとき、太陽電池モジュール２１ａの図面視左側の端縁部は、断面Ｌ字型アングル２５及び断面コの字型アングル２６から左側にはみ出すようにしておく。
【００４０】
次に、太陽電池モジュール２１ｂ、２１ｃ、２１ｄを順に、長手方向端縁を前に嵌めこんだ太陽電池モジュール２１の長手方向端縁に当接させながら、太陽電池モジュール２１ａと同様に嵌め込む。このとき、太陽電池モジュール２１ｄの図面視右側の端縁部は、断面Ｌ字型アングル２５及び断面コの字型アングル２６から右側にはみ出すようにしておく。次に、複合体２２の四箇所の角部２４の各々に、短尺の断面コの字型アングル２７をコの字の水平部が複合体２２の長手方向を向くように複合体の角部２４に嵌め込む。
【００４１】
次に、隣り合う第一台座４ａ間で露出している断面Ｌ字型アングルの垂直部２５ａ、隣り合う第二台座４ｂ間で露出している断面コの字型アングルの垂直部２６ａ、角部用断面コの字型アングルの垂直部２７ａの各々にビス２８を捩じ込んで、アングル２５、２６、２７と連設された太陽電池モジュール２１とを固定して、台座４の上に設置された複合体２２を完成させる。
【００４２】
なお、太陽電池モジュールの大きさは様々であり、その寸法は一定ではない。従って、第一台座４ａと第二台座４ｂの双方又はどちらか一方が取付け可能に構成されていると、太陽電池モジュールの大きさに合わせて台座４の固定位置を変更することにより、一の寸法の屋上パネルで幅広い寸法の太陽電池モジュールに対応することができる。
【００４３】
別体として形成された台座４を表皮２に取付け、固定する方法としては、ＦＲＰの接着工法が挙げられる。
【００４４】
本発明の屋上パネルは、前記図７、図８、図９、図１０に示される太陽電池モジュールの設置の態様に限定されるものではない。例えば、図１２に示すように、一対の台座４（４ａ、４ｂ）が設けられている屋上パネルを第一フランジ３ａ及び第二フランジ３ｂの方向に、複数枚連設させて、複数対の台座４（４ａ、４ｂ）の斜面６の上に異なる屋上パネルを跨いで、一の複合体を載置することもできる。また、図１３に示すように、複数対の台座が設けられている屋上パネルを第一フランジ３ａ及び第二フランジの方向に複数枚連設させて、複数対の台座４（４ａ、４ｂ）の斜面６の上に異なる屋上パネルを跨いで、一の複合体を載設することもできる。また、一対の台座の斜面６ａと斜面６ｂの上に一基の太陽電池モジュールを載設することもできる（図示せず。）。その場合における太陽電池モジュールを台座上に載設する方法として、前記断面Ｌ字型アングル、断面コの字型アングルの使い方を応用することができる。
【００４５】
但し、太陽電池モジュールを載設する方法は、断面Ｌ字型アングル及び断面コの字型アングルを用いる方法に限定されることがなく、断面Ｌ字型アングルや断面コの字型アングルのみを用いたり、台座の斜面上に金属板を接着し、太陽電池モジュールを該金属板にビスで固定したりすることもできる。
【００４６】
次に、本発明の屋上構造について説明する。
本発明の屋上構造は、図１２、図１３に示すように、四辺形の防水パネルが屋上に敷き詰められたものであり、防水パネルの少なくとも一つが本発明の屋上パネル１である。該屋上構造は、ビルの屋上構造として好適なものであり、それ以外にも、例えばプレハブのコンクリート建築にも好適に用いることができる。
【００４７】
該屋上構造は、本発明の屋上パネル１のみで構成することもできれば、屋上パネル１と他の防水パネルとを組み合わせることもできる（以下、屋上パネル１と他の防水パネルとを総称して単にパネルともいう。）。他の防水パネルとしては、寸法を調整して本発明のパネルと共に施工することができさえすることができれば如何なるものでも使用することができる。例えば、特許文献１に記載されている屋上パネル３１を用いることができる。但し、本発明の屋上パネルと組み合わせるものは、特許文献１の防水パネルに限定されることがなく、例えば、従来公知のウレタン防水工法、シート防水工法、アスファルト防水工法等とを組合わせることもできる。
なお、図１２は、上面全体が斜面として形成された一対の台座が設けらている屋上パネル１と特許文献１の屋上パネル３１とを組み合わせて構成した屋上構造の一例を示す斜視図である。また、図１３は、３対の椅子型の台座が設けられている屋上パネル１と特許文献１の屋上パネル３１とを組み合わせて構成した屋上構造の一例を示す斜視図である。
【００４８】
特許文献１の屋上パネル３１は、四辺形であり、各四辺に一定幅で平坦なフランジ部が形成され、該フランジ部から所定の傾斜角度で隆起させて稜線で形成された角錐状の凸形のパネル面が形成され、該パネルは硬質樹脂からなる表皮と、表皮の裏面に設けられた発泡樹脂からなる断熱層とを有し、パネルの裏面には、多数の突起を形成し、屋上の床面との間に多くの通気層が形成されたものである。該屋上パネル３１は、四辺形（具体的には、長方形か正方形）であること、四辺にフランジ部が形成されていること、表皮と断熱層とを有すること、パネルの裏面に多数の突起が形成されていることが、本発明の屋上パネル１と共通するものである。従って、基本的な寸法が一致又は調整可能であれば、本発明の屋上パネル１と組み合わせることにより、容易に屋上構造を形成できるものである。
【００４９】
次に、パネル同士を敷き詰めて目地を形成する方法、該目地の防水方法、パネルをコンクリートの壁に固定する方法、及びそれにより得られる屋上構造について、本発明の屋上パネル１と特許文献１の屋上パネル３１とを組み合わせて敷き詰める場合を例にとって説明する。
【００５０】
建物の屋上に、本発明の屋上パネル１や特許文献１の屋上パネル３１を敷き詰める場合、図１６に示すように、パネル同士を直接当接させて目地を形成することができる。また、図１８に示すように、パネルの端面間に空間を設けて、パネルの端面同士が平行になるように敷きつめることができる。
【００５１】
次に、パネル同士を直接当接させてパネルの屋上構造を構築する方法及び構築される屋上構造について説明する。
この場合、まず、屋上パネル１や特許文献１の屋上パネル３１を其の端面同士を当接させて敷きつめる。次に、図１４（ａ）に示すようなＴ字平型固定部材３２を、フランジ部３やフランジ部３７の長手方向表面に沿って載置する。このとき、Ｔ字型固定部材の下方に伸びる垂直部３２ｂをパネル同士が当接された部分に差込んで、Ｔ字型固定部材３２を固定することにより、頑丈な構造にすることができる。
【００５２】
Ｔ字型固定部材３２は、図１５に示すように、四枚の防水パネルの角部を跨いで載置することができる。その場合には、アンカボルト挿通用の孔３２ａが、四枚の防水パネルの角部が交わる中心の真上に位置するようにする。また、Ｔ字型固定部材３２を四枚の防水パネルの角部を跨ぐことなく載置することができる。その場合には、アンカボルト挿通用の孔３２がフランジ部３とフランジ部３７とが当接された面の上端に位置するようにする。このように、Ｔ字型固定部材３２を、四枚の防水パネルの角部を跨いで載置することと、四枚の防水パネルの角部を跨がないで載置することを組み合わせることにより、全てのフランジ部３、３７の上にＴ字型固定部材３２を隙間無く、且つ効率よく載置することができる。
【００５３】
次に、図１６に示すように。アンカボルト挿通用の孔３２ａが形成された押さえ板３５を、押さえ板３５の孔の中心と孔３２ａとの中心が一致するように、長尺のＴ字型固定部材３２上に載置し、図１４（ｃ）に示すように、アンカボルトの足３６ｂを押さえ板３５の孔と孔３２ａとに挿通し、コンクリート３０に打ち込んでアンカボルトの頭３６ａで押さえ板３５及びＴ字型固定部材３２を介してパネル１、３１を固定する。パネルの角部間のフランジ部３、３７のみの上に載置したＴ字型固定部材３２も同様に、アンカボルト３６を打ち込んで固定する。次に、フランジ部３、３７の上に沿って、防水シート材３８を貼着する。図１６は、このようにして施工された屋上構造の一例を示す図面である。なお、図示はしないが、図１６の断面において、該断面の上にそって、Ｔ字型固定部材３２が２枚、夫々屋上パネル３のフランジ部上と屋上パネル３１のフランジ部上に載設されている。
【００５４】
前記のＴ字型固定部材に代えて、平板固定部材３３（図１４（ｂ））を用いることができる。この場合、平板固定部材３３はフランジ部３、３７の上に単に載置し、前記と同様に固定することになる。
【００５５】
なお、平板固定部材３２やＴ字型固定部材３２は、前記角段部１３の上に載置されるので（図示せず。）、角段部１３はその機能を果たさないが、アンカボルトの頭３６ａや押さえ板３５の厚みは薄いので、防水シート３８を貼着しても、防水シートが大きく盛り上がるということはない。
【００５６】
なお、本発明においては、パネルを其の端面同士を当接させて敷きつめた場合、Ｔ字型固定部材や平板固定部材を用いることなく、押さえ板３５とアンカボルト３６を用いてパネルを固定することができる。この場合、４枚のパネルが形成する十字の交点等を中心として角段部１３が円形を形成するので、そこに押さえ板３５を載置してアンカボルト３６を打ち込めば、押さえ板３５の上面とフランジ部３の上面の高さを一致させやすくなる。
【００５７】
このようにして構築されたパネルの屋上構造においては、屋上パネル１、３１の裏面に形成されている突起１２ａにより、屋上パネル１、３１と屋上の床面３０との間に多くの空間１２ｂが形成され、空気通路として機能するので、屋上の床面のコンクリート３０から蒸発する水分を含んだ空気が、該空気通路を通って逃げるので、水蒸気圧によるパネルの膨らみが防止される。
【００５８】
次に、パネルの端面間に空間を設けて、パネルの端面同士が平行になるように敷きつめてパネルの屋上構造を構築する方法及び構築される屋上構造について説明する。
この場合、図１７（ａ）に示すような十字型の固定部材３４を用いる。十字型固定部材３４は、メンバー３４ａ、３４ｂが十字型に組み合わせれたもので、十字の交点にアンカボルト挿通用の孔３４ｃが設けられているものである。
まず、パネル１、３１の各々の端面間に空間を設けて、端面同士が平行になるようにパネル１、３１を敷きつめる。次に、四枚のパネル１、３１の角部により十字形の空間が形成された空間部の上に、十字型固定部材３４を載置する。十字型固定部材の十字の交点にはアンカーボルト挿通用の孔３４ｃが設けられており、中心にアンカーボルト挿通用の孔が形成された押さえ板３５を、押さえ板３５の孔の中心と十字型固定部材の孔３４ｃの中心が一致するように、十字型固定部材３４上に載置する。次に、アンカーボルトの足３６ｂを、図１７（ｂ）に示すように、押さえ板３５の孔と十字型固定部材の孔３４ｃを挿通し、コンクリート３０に打ち込んでアンカボルトの頭３６ａで押さえ板３５及び十字型固定部材３５を介してパネル１、３１を固定する。次に、フランジ部３、３７の上に沿って、防水シート材３８を貼着する。このようにして施工された屋上構造の一例を図１８に示す。
【００５９】
このようにして構築されたパネルの屋上構造においては、前記突起１２ａにより形成される空気通路に加えて、パネル１、３１間の隙間も空気通路となり、屋上の床面３０のコンクリートから蒸発する水分を含んだ空気がより逃げやすくなるので、水蒸気圧によるパネルの膨らみがより効率よく防止される。  
【００６０】
十字型の固定部材３４は、縦長の平板状の２本のメンバー３４ａ、３４ｂを十字に組み合わせて形成することもできれば、最初から一の部材として十字型の固定部材を作製することもできる。また、引用文献１に記載されているように、コの字型の２本のメンバーを組み合わせて、引用文献１に記載されているように用いることもできる。
【００６１】
なお、十字型の固定部材３４は、前記角段部１３の上に載置されるので（図示せず。）、格段部１３はその機能を果たさないが、アンカボルトの頭３４ａや押さえ板３３の厚みは薄いので、防水シートを貼着しても、防水シートが大きく盛り上がるということはない。
【００６２】
なお、前記屋上パネル３１の詳細については、特許文献１を参照されたい。また、特許文献１に記載の隅パネルを本発明の屋上構造に用いることもできる。
【符号の説明】
【００６３】
１      屋上パネル
２      表皮
３      フランジ部
３ａ    第一フランジ部
３ｂ    第二フランジ部
３ｃ    第三フランジ部
３ｄ    第四フランジ部
４      台座
４ａ    第一台座
４ｂ    第二台座
５      台座(椅子型部材)の背もたれ
６      台座の斜面
６ａ    第一台座の斜面
６ｂ    第二台座の斜面
７      隣り合う台座間の空間
７ａ    第一台座間の空間
７ｂ    第二台座間の空間
８      フランジ部に囲まれた斜面
９ａ    第一台座のパネル内部側の側面
９ｂ    第二台座のパネル内部側の側面
１１      断熱材
１２ａ    突起
１２ｂ    突起によって形成される空間
１３      角段部
１４      ウレタンフォーム
１５      ピン
２１（２１ａ、２１ｂ、２１ｃ、２１ｄ）  太陽電池モジュール
２２      太陽電池モジュールが連設された複合体
２３ａ    複合体の一の長手方向端縁部
２３ｂ    複合体の長手方向端縁部２３ａに対向する長手方向端縁部
２３ｃ、２３ｄ  複合体の短手方向端縁部
２４      複合体の４箇所の角部
２５      長尺のＬ字型アングル
２５ａ    アングル２５の垂直部
２６      長尺のコの字型アングル
２６ａ    アングル２６の垂直部
２７      複合体の角部に用いられる短尺のコの字型アングル
２７ａ    アングル２７の垂直部
２８      ビス
３０      コンクリート面
３１      特許文献１の屋上パネル
３２      Ｔ字型固定部材
３２ａ    孔
３２ｂ    Ｔ字型固定部材の垂直部
３３      平板固定部材
３３ａ    孔
３４      十字型固定部材
３４ａ、ｂ  メンバー
３４ｃ    孔
３５      押さえ板
３６      アンカボルト
３６ａ    アンカボルトの頭
３６ｂ    アンカボルトの足
３７      特許文献１の屋上パネルフランジ部
３８      防水シート
【図１】
2011094467.tif 000003
【図２】
2011094467.tif 000004
【図３】
2011094467.tif 000005
【図４】
2011094467.tif 000006
【図５】
2011094467.tif 000007
【図６】
2011094467.tif 000008
【図７】
2011094467.tif 000009
【図８】
2011094467.tif 000010
【図９】
2011094467.tif 000011
【図１０】
2011094467.tif 000012
【図１１】
2011094467.tif 000013
【図１２】
2011094467.tif 000014
【図１３】
2011094467.tif 000015
【図１４】
2011094467.tif 000016
【図１５】
2011094467.tif 000017
【図１６】
2011094467.tif 000018
【図１７】
2011094467.tif 000019
【図１８】
2011094467.tif 000020